(57)【要約】【課題】本発明のよれば、蓋体のロック解除を片手でも行なう事ができ、引掛り感や誤動作の恐れのないロック機構を提供する。【解決手段】開閉自在に枢止された蓋部２を本体１にロックするロック機構において、本体１に配置された第１係止部材３および第２係止部材４と、蓋部２に設けられ、係合部が形成されたロック片５とを備え、第１係止部材３は、第１押し釦と、第１ロック爪と、第１押し釦および第１ロック爪を付勢する第１付勢部とを有し、第２係止部材４は、第２押し釦と、第２ロック爪と、第２押し釦および第２ロック爪を付勢する第２付勢部とを有し、第１付勢部および第２付勢部は、蓋部２が閉じた状態において、第１ロック爪および第２ロック爪それぞれがロック片５の係合部に係合するように付勢し、第１押し釦と第２押し釦は隣接して配置され、第１押し釦および第２押し釦が共に押し込まれることにより、蓋部２のロックが解除される。【選択図】図２
2007247340.tif 000002
【特許請求の範囲】
【請求項１】
開閉自在に枢止された蓋部を本体にロックするロック機構において、
前記本体に配置された第１係止部材および第２係止部材と、
前記蓋部に設けられ、係合部が形成されたロック片とを備え、
第１係止部材は、移動可能に配置された第１押し釦および第１ロック爪と、前記第１押し釦および第１ロック爪を付勢する第１付勢部とを有し、
第２係止部材は、移動可能に配置された第２押し釦および第２ロック爪と、前記第２押し釦および第２ロック爪を付勢する第２付勢部とを有し、
前記第１付勢部および前記第２付勢部は、前記蓋部が閉じた状態において、前記第１ロック爪および前記第２ロック爪それぞれが前記ロック片の前記係合部に係合するように付勢し、
前記第１押し釦と前記第２押し釦は隣接して配置され、
前記第１押し釦が押し込まれることにより、前記第１ロック爪は、前記係合部との係合が解除される向きに移動し、
前記第２押し釦が押し込まれることにより、前記第２ロック爪は、前記係合部との係合が解除される向きに移動し、
前記第１押し釦および前記第２押し釦が共に押し込まれることにより、前記蓋部のロックが解除されることを特徴とするロック機構。
【請求項２】
前記第２押し釦は、貫通孔を有し、
前記第１押し釦は、前記貫通孔に移動可能に挿入された請求項１記載のロック機構。
【請求項３】
前記第２押し釦は、前記貫通孔周辺に形成された凹部を有し、
前記第１押し釦は、先端が前記第２押し釦の先端より内側となるように配置された請求項２記載のロック機構。
【請求項４】
前記第１押し釦および前記第２押し釦に近接した領域の前記本体により形成される面と、前記第１押し釦の先端および前記第２押し釦の先端との距離が、それぞれ前記第１ロック爪および前記第２ロック爪と前記係合部との係合距離より短い請求項１〜３のいずれか一項に記載のロック機構。
【請求項５】
前記第１ロック爪および前記第２ロック爪が隣接して配置されているか、あるいは一方のロック爪と他方のロック爪が重ね合わさって配置された請求項１〜４のいずれか一項に記載のロック機構。
【発明の詳細な説明】
【技術分野】
【０００１】
本発明は、本体に蓋体を開閉ロックするロック機構に関する。
【背景技術】
【０００２】
ロック機構は、さまざまな分野において用いられている。例えば、記録媒体としてコンパクトディスク（ＣＤ）をセットして再生する携帯用ＣＤプレーヤの本体キャビネットに蓋部をロックするのに用いられている。携帯用ＣＤプレーヤは、本体キャビネットと、この本体キャビネットに基端が開閉自在に枢支された蓋体を有する。携帯用ＣＤプレーヤは、本体キャビネットにＣＤが装着され、駆動手段によりＣＤを回転駆動し、光ピックアップユニットによりＣＤにアクセスする。
【０００３】
携帯用ＣＤプレーヤにおいて、ロック機構は、蓋体を閉じた状態を保持する保持機能と保持を解除する機能とが必要である。保持機能は、蓋体に構成されたフックを、本体キャビネット側に設けられたロック爪に係合することにより達せられる。保持を解除する機能は、ロック爪を移動させてフックから外すことで達せられ、それにより蓋体が開く。
【０００４】
ロック爪を移動させる方法として、ロック爪と操作釦を一体にして操作釦を摺動する（操作釦摺動方式）ようにしたもの（例えば、特許文献１参照）がある。また、操作釦を押し釦にし、ロック爪を押し釦操作と直角方向に摺動させて動作方向を変換する（押し釦方式）事で、片手でも操作できる簡便性と誤動作を防止する機構を備えたものがある。
【０００５】
図１１は、ロック爪を移動させる方法として押し釦方式を用いたロック機構を有するロック解除装置１００の構成を示す平面図である。図１２は、図１１のロック機構のＡ−Ａ断面を示す断面図であり、（ａ）はロック時、（ｂ）はロック解除時を示す。ロック機構の両端にロック解除釦１０１Ａ、１０１Ｂが配置されている。ロック解除釦１０１Ａ、１０１Ｂそれぞれには、先端がテーパー状に形成されたロッド部１０２Ａ、１０２Ｂが結合され、ガイド１０８に沿って移動可能である。プレート１０４は、一端には２つの凸部１０４ａが形成され、凸部１０４ａは端部がテーパー状に形成されている。ロック部１０５は、凸部１０４ａ、ばね１０６およびロック対象物を係合する係止部１０７により構成されている。図１２に示すように、係止部１０７は、ばね１０６に係合され、紙面上下方向に移動可能である。ばね１０６は、凸部１０４ａが移動することにより押し縮められる。
【０００６】
プレート１０４のもう一端には、フロート部１０３が紙面上下方向に移動自由に接続されている。フロート部１０３は、プレート１０４と接続した側と反対側の端部がテーパー状に形成されている。
【０００７】
この構成において、ロック解除釦１０１Ａ、１０１Ｂが同時に押下されると、ロッド部１０２Ａ、１０２Ｂとフロート部１０３が摺動し、プレート１０４を紙面左向きに移動させる。プレート１０４が移動することにより、テーパー形状の凸部１０４ａがばね１０６を縮ませる。ばね１０６が縮むことにより、係止部１０７がロック部１０５内に入り込み、ロック対象物と係止部１０７が外れ、ロックが解除される。
【０００８】
一方、ロック解除釦１０１Ａのみが押された場合には、ロッド部１０２Ａがフロート部１０３を押すが、フロート部１０３は紙面下向きに移動し、プレート１０４は移動しない。従って、ロック解除釦１０１Ａ、１０１Ｂの一方のみが押された場合には、ロックは解除されない。このことにより、誤動作によるロックの解除を防ぐことができる。
【特許文献１】特開平５−１２２３１６号公報
【発明の開示】
【発明が解決しようとする課題】
【０００９】
しかしながら、上記押し釦方式ではロック爪の動作方向を変換する為操作時に引っ掛かり感があるなどの操作上の問題を含んでいる。また、図１１に示す機構において、ポケットなどに入れられた場合には、誤ってロック解除釦１０１Ａ、１０１Ｂが同時に押下され、ロックが解除される場合が生じやすいという問題もある。
【００１０】
また、操作釦摺動方式は両手で操作しなければならないという問題がある。
【００１１】
本発明は、ロック解除を片手でも行なう事ができ、引掛り感や誤動作の恐れのないロック機構を提供することを目的とする。
【課題を解決するための手段】
【００１２】
上記問題を解決するために、本発明のロック機構は、開閉自在に枢止された蓋部を本体にロックするロック機構において、前記本体に配置された第１係止部材および第２係止部材と、前記蓋部に設けられ、係合部が形成されたロック片とを備え、第１係止部材は、移動可能に配置された第１押し釦および第１ロック爪と、前記第１押し釦および第１ロック爪を付勢する第１付勢部とを有し、第２係止部材は、移動可能に配置された第２押し釦および第２ロック爪と、前記第２押し釦および第２ロック爪を付勢する第２付勢部とを有し、前記第１付勢部および前記第２付勢部は、前記蓋部が閉じた状態において、前記第１ロック爪および前記第２ロック爪それぞれが前記ロック片の前記係合部に係合するように付勢し、前記第１押し釦と前記第２押し釦は隣接して配置され、前記第１押し釦が押し込まれることにより、前記第１ロック爪は、前記係合部との係合が解除される向きに移動し、前記第２押し釦が押し込まれることにより、前記第２ロック爪は、前記係合部との係合が解除される向きに移動し、前記第１押し釦および前記第２押し釦が共に押し込まれることにより、前記蓋部のロックが解除されることを特徴とする。
【発明の効果】
【００１３】
本発明のよれば、ロック解除を片手でも行なう事ができ、引掛り感や誤動作の恐れのないロック機構を提供することができる。
【発明を実施するための最良の形態】
【００１４】
本発明のロック機構において、前記第２押し釦は、貫通孔を有し、前記第１押し釦は、前記貫通孔に移動可能に挿入された構成にすることもできる。この構成により、第１押し釦および第２押し釦を片手で同時に押すことができる。
【００１５】
また、前記第２押し釦は、前記貫通孔周辺に形成された凹部を有し、前記第１押し釦は、先端が前記第２押し釦の先端より内側となるように配置された構成にすることもできる。
【００１６】
また、前記第１押し釦および前記第２押し釦に近接した領域の前記本体により形成される面と、前記第１押し釦の先端および前記第２押し釦の先端との距離が、それぞれ前記第１ロック爪および前記第２ロック爪と前記係合部との係合距離より短い構成にすることもできる。この構成により、第１係止部材と第２係止部材のどちらか一方のみが押された場合にはロックが解除しない。
【００１７】
また、前記第１ロック爪および前記第２ロック爪が隣接して配置されているか、あるいは一方のロック爪と他方のロック爪が重ね合わさって配置された構成にすることもできる。
【００１８】
以下、本発明のロック機構に係る実施の形態について図面を参照しながら説明する。
【００１９】
図１は、本発明の実施の形態に係るロック機構を備えた携帯用ＣＤプレーヤの構成を示す外観斜視図である。本体キャビネット１（本体）は、ＣＤを装着可能であり、ＣＤデータの読み取り、音声出力機構などを備えている。蓋体２は、本体キャビネット１に基端が開閉自在に枢支されている。第１係止部材３および第２係止部材４は、蓋体２を開けるためのボタンである。取付けピン５２により、後述するロック片が蓋体２に取り付けられている。
【００２０】
図２は、図１に示した携帯用ＣＤプレーヤのロック機構の構成を示す部分破断斜視図である。本実施の形態に係るロック機構６は、本体キャビネット１に配置された第１係止部材３および第２係止部材４と、蓋体２に配置されたロック片５とで構成されている。第１係止部材３は、第２係止部材４上に重ねて配置されている。蓋体２が閉じた状態において、第１係止部材３および第２係止部材４は、ロック片５と係合する。
【００２１】
図３は、第１係止部材３の構成を示す斜視図である。第１押し釦３１は、凸状であり、外部から力が加えられる。第１ロック孔３２は、第１係止部材３および第２係止部材４とロック片５が係合される領域である。第１ロック爪３３は、第１ロック孔３２の領域に、下に凸状に形成されている。また、第１ロック爪３３の先端はテーパー形状の第１テーパー面３３ａが形成されている。
【００２２】
第１逃げ部３４は、第１ロック爪３３に隣接し、第１ロック孔３２から延在した孔であり、ロック機構６として組立てられた際に、後述する第２ロック爪４４が入り込むように形成されている。第１ガイド孔３５は、本体キャビネット１に形成されたガイド軸（後述）が挿入され、第１係止部材３の動きを直線運動に規制する。なお、後述する係合部５１と第１ロック爪３３の係合が解けるように、第１ガイド孔３５は少なくとも長さｃだけ必要である。第１付勢バネ３６は、第１押し釦３１を外方に付勢する。第１固定孔３７は、本体キャビネット１に形成された固定軸が挿入され、第１係止部材３の一端を固定する。
【００２３】
図４は、第２係止部材４の構成を示す斜視図である。第２押し釦４１は、凹部４１ａを有し、凹部４１ａには釦部３１が挿入される貫通孔４２が形成されている。第２ロック孔４３は、第１係止部材３および第２係止部材４とロック片５が係合される領域である。第２ロック爪４４は、第２ロック孔４３の領域に上に凸状に形成されている。ロック機構６として組立てられた際に、下に凸状の第１ロック爪３３と上に凸状の第２ロック爪４４は、上面および下面がそれぞれ同一平面を形成する。
【００２４】
また、第２ロック爪４４の先端には、ロック機構６として組立てられた際に、第１テーパ面３３ａと同一平面に形成される第２テーパー面４４ａが形成されている。第２逃げ部４５は、第２ロック爪４４に隣接し、第２ロック孔４３から延在した孔であり、ロック機構６として組立てられた際に、第１ロック爪３３が入り込むように形成されている。第２ガイド孔４６は、本体キャビネット１に形成されたガイド軸が挿入され、第２係止部材４の動きを直線運動に規制する。なお、後述する係合部５１と第２ロック爪４４の係合が解けるように、第２ガイド孔４６は少なくとも長さｃだけ必要である。第２付勢バネ４７は、第２押し釦４１を外方に付勢する。第２固定孔４８は、本体キャビネット１に形成された固定軸が挿入され、第２係止部材４の一端を固定する。
【００２５】
図５は、ロック片５の構成を示す斜視図である。係合部５１は、第１ロック爪３３および第２ロック爪４４と係合する。また、係合部５１の下面には、蓋体２をロックする際に、第１テーパー面３３ａおよび第２テーパー面４４ａと接する第３テーパー面５１ａが形成されている。取付けピン５２により、ロック片５が蓋体２に固定される。
【００２６】
図６は、図２に示すロック機構６の構成を示す平面図である。第１係止部材３と第２係止部材４は、重ねられて配置され、第１押し釦３１が貫通孔４２に挿入されている。第１ガイド孔３５および第２ガイド孔４６には、ガイド軸７１が挿入され、第１係止部材３と第２係止部材４が紙面左右方向の動きを規制し、上下方向の直線運動のみを可能としている。第１固定孔３７および第２固定孔４８に固定軸７２が挿入され、第１係止部材３および第２係止部材４を固定している。第１付勢バネ３６、第２付勢バネ４７は、それぞれ、第１係止部材３および第２係止部材４をロック方向に付勢している。
【００２７】
図６における本体キャビネット１、第１係止部材３および第２係止部材４の位置関係について説明する。本体キャビネット１から第２係止部材４の出代の長さをａ、第２係止部材４の先端から第１係止部材３の先端までの距離をｂ、係合部５１と第１ロック爪３３および第２ロック爪４４の掛かり代の長さをｃとする。図６の状態においては、
ａ＞ｂ  かつ  ａ＜ｃ  かつ  ａ−ｂ＜ｃ          式（１）
の関係が成り立つように配置され、第１ロック爪３３および第２ロック爪４４は、真横に並んで係合部５１と係合している。つまり、図６に示した状態はロックされた状態である。
【００２８】
図７は、図６におけるロック機構６において、第１押し釦３１および第２押し釦４１に同時に外部から力が加わった状態を示す平面図である。操作者の親指などにより第２押し釦４１の凹部４１ａに力が加わり、第２押し釦４１が距離ｃ以上押し込まれた場合には、第２ロック爪４４は係合部５１と離れて係合が解ける。同時に、第１押し釦３１が距離ｃ以上押し込まれることとなり、第１ロック爪３３も係合部５１と離れて係合が解ける。第１ロック爪３３および第２ロック爪４４の係合部５１に対する係合が解除されるので、蓋体２が開放可能になる。
【００２９】
図８は、図６におけるロック機構６において、第１押し釦３１および第２押し釦４１に対して、平面体７３により外部から力が加わった状態を示す平面図である。平面体７３により第１押し釦３１および第２押し釦４１が押された場合には、本体キャビネット１における第２押し釦４１の両端近傍部分により押し込み量が規制される。第１押し釦３１は距離ａ−ｂだけ押込まれ、第２押し釦４１は距離ａだけ押込まれる。式（１）よりａ＜ｃ  かつ  ａ−ｂ＜ｃであるから、第１ロック爪３３と係合部５１はｃ−（ａ−ｂ）の長さ分だけ係合し、第２ロック爪４４と係合部５１はｃ−ａの長さ分だけ係合している。つまり、第１ロック爪３３および第２ロック爪４４と係合部５１の係合は外れることはなく、蓋体２は開かない。
【００３０】
図９は、図６におけるロック機構６において、第２ロック爪４４のみに外部から力が加わり、第２ロック爪４４がｃ以上の距離を移動した場合を示す平面図である。第２ロック爪４４は係合部５１と離れて係合が解ける。また、第２ロック爪４４は、第１逃げ部３４に入り込み、第１係止部材３に第２係止部材４の移動の影響を与えない。したがって、第１ロック爪３３は、係合部５１と係合したままであり、蓋体２は開かない。
【００３１】
また、第１ロック爪３３のみが移動した場合も、第１ロック爪３３が第２逃げ部４５に入り込み、第２ロック爪４４は移動せずに係合部５１と係合したままであり、蓋体２は開かない。
【００３２】
以上のように、第１押し釦３１および第２押し釦４１を同時に押し込んだ場合のみ蓋体２が開き、他の状態で蓋体２が開くことを防止できる。
【００３３】
蓋体２を閉じる場合は、第１テーパー面３３ａおよび第２テーパー面４４ａは、第３テーパー面５１ｂと接触するにつれて摺動する。そして、蓋体２が本体キャビネット１に密着した状態になった時、第１付勢バネ３６および第２付勢バネ４７の付勢力により、第１ロック爪３３および第２ロック爪４４が係合部５１と係合し、蓋体２がロックされる。
【００３４】
以上のような構成により、本発明のロック機構は、片手でロックを解除することができ、かつ誤動作により蓋部が開かないという効果を得る。
【００３５】
なお、本発明のロック機構の各構成要素は、本実施の形態に示した構成に限定されず、同様の効果を得ることができる構成であればよい。例えば、第１付勢バネ３６および第２付勢バネ４７を板バネなどの他の弾性体を用いても良い。
【００３６】
また、図１０は、第１ロック爪３３ｂおよび第２ロック爪４４ｂの変形例を示す部分破断斜視図である。この例では、第２ロック爪４４を第１ロック爪３３が覆って形成された構成を有する。この構成により第１係止部材３が平面形状となるため、作成が容易となる。
【産業上の利用可能性】
【００３７】
本発明のロック機構は、片手で操作可能であり、誤ってロックが解除されフタが開くことを抑制することが可能であり、蓋体の開閉機構として、携帯用のＣＤプレイヤー等の分野において、利用可能である。
【図面の簡単な説明】
【００３８】
【図１】本発明の実施の形態に係る携帯用ＣＤプレーヤの構成を示す外観斜視図
【図２】同上携帯用ＣＤプレーヤのロック機構の構成を示す部分破断斜視図
【図３】同上ロック機構の第１係止部材３の構成を示す斜視図
【図４】同上ロック機構の第２係止部材４の構成を示す斜視図
【図５】同上ロック機構のロック片５の構成を示す斜視図
【図６】同上ロック機構のロック状態における平面図
【図７】同上ロック機構のロック解除状態における平面図
【図８】同上ロック機構に平面体により力が加えられた際の状態を示す平面図
【図９】同上ロック機構において第２ロック爪４４のみに外部から力が加わった状態を示す平面図
【図１０】同上ロック機構の第１ロック爪３３および第２ロック爪４４の変形例を示す部分破断斜視図
【図１１】従来のロック機構の構成を示す平面図
【図１２】同上ロック機構の（ａ）ロック状態、（ｂ）ロック解除状態における断面図
【符号の説明】
【００３９】
１  本体キャビネット
２  蓋体
３  第１係止部材
３１  第１押し釦
３２  第１ロック孔
３３、３３ｂ  第１ロック爪
３３ａ  第１テーパー面
３４  第１逃げ部
３５  第１ガイド孔
３６  第１付勢バネ
３７  第１固定孔
４  第２係止部材
４１  第２押し釦
４１ａ  凹部
４２  貫通孔
４３  第２ロック孔
４４、４４ｂ  第２ロック爪
４４ａ  第２テーパー面
４５  第２逃げ部
４６  第２ガイド孔
４７  第２付勢バネ
４８  第２固定孔
５  ロック片
５１  係合部
５１ａ  第３テーパー面
５２  取付けピン
６  ロック機構
７１  ガイド軸
７２  固定軸
７３  平面体
【図１】
2007247340.tif 000003
【図２】
2007247340.tif 000004
【図３】
2007247340.tif 000005
【図４】
2007247340.tif 000006
【図５】
2007247340.tif 000007
【図６】
2007247340.tif 000008
【図７】
2007247340.tif 000009
【図８】
2007247340.tif 000010
【図９】
2007247340.tif 000011
【図１０】
2007247340.tif 000012
【図１１】
2007247340.tif 000013
【図１２】
2007247340.tif 000014